(57)【要約】【課題】  レンズを取り付けたレンズユニットを基板上に安定して立設させた固体撮像装置を提供する。【解決手段】  基板１０６上に搭載された撮像素子１６１を包囲するように配置される脚部２０２と、ホルダ１１１にかかる負荷を分散させるためのリブ２０１とを備えたホルダ１１１を設けている。このため、レンズ１１３を保持したレンズホルダ１１２の重みによって脚部２０２にかかる負荷を補助部材２０１によって分散させ、レンズホルダ１１２を基板１０６上に安定して立設させることができる。【選択図】        図２
2005167432.tif 000002
【特許請求の範囲】
【請求項１】
レンズを移動可能に保持したレンズユニットと、撮像素子を搭載した基板とを有する固体撮像装置であって、
前記レンズユニットは、前記撮像素子の周囲を取り囲むようにして配置された脚部と、前記脚部を補助し、前記レンズユニットを安定して前記基板上に立設させるための補助部材とによって前記基板上に立設していることを特徴とする固体撮像装置。
【請求項２】
前記補助部材の長さを、前記脚部の長さよりも短くし、脚部の長さが前記レンズユニットと前記基板との距離となるようにしたことを特徴とする請求項１記載の固体撮像装置。
【請求項３】
前記補助部材と前記基板とを接着剤により接着したことを特徴とする請求項１又は２記載の固体撮像装置。
【請求項４】
前記補助部材の前記接着剤との当接面には、凹凸が形成されていることを特徴とする請求項３記載の固体撮像装置。
【発明の詳細な説明】
【技術分野】
【０００１】
本発明は、レンズを取り付けたレンズホルダを基板上に固定するホルダ及びレンズホルダを備え、被写体を撮像素子により撮像する固体撮像装置に関し、特にマクロ撮像も可能な固体撮像装置に関する。
【背景技術】
【０００２】
従来から、光学レンズによって被写体像をＣＣＤ（電荷結合デバイス）等を備えた撮像素子に結像させる、いわゆるデジタルカメラが広く使用されている。このデジタルカメラには種々のタイプのものが提案されているが、被写体と数十センチメートル以内に近接して撮像する、いわゆるマクロ撮像が容易にできれば、利用価値が高い。マクロ撮像を行うためには、数メートル以上離れた被写体を撮像する場合と比べて、レンズの焦点位置を変更する必要がある。
【０００３】
ところでレンズの焦点位置を変更する手段としては、ネジ機構を用いて手動あるいは電動でレンズホルダを光軸方向に移動させるものや、電磁石を用いてレンズ位置を調整するものが知られている。
【０００４】
電磁石を用いたレンズ位置の調整機構として特許文献１に開示された発明が知られている。この特許文献１に開示されている手段を図１１に示す。
【０００５】
すなわちこのレンズの駆動装置は、それぞれコの字断面形状を有するリング状のレンズ枠１と、このコの字断面の凹溝に係合するヨーク２とを有しており、レンズ枠１にはコイル（電磁石）３が配置され、コイル３に対向するようにヨーク２には（永久）磁石４が固定してある。そしてコイル３に電流を流すことによってレンズ枠１を光軸方向へ移動可能としている。
【０００６】
【特許文献１】特開平５‐３４５６２号公報（２‐３頁、第１図）
【発明の開示】
【発明が解決しようとする課題】
【０００７】
しかし、上記手段を用いてレンズ位置を通常撮像位置とマクロ撮像位置とに切り換える場合には次の問題があった。すなわちレンズ枠１は、コイル３に電流を流すことによって移動させると記載されているが、どのようにして所定のズーム位置あるいは焦点位置にレンズ枠を正確に停止させるのかについては記載されていない。また、所定のズーム位置あるいは焦点位置にレンズ枠１を正確に保持するためには、コイル３に電流を流したままにしておき、磁力を保持しておく必要がある。したがって上記手段では、レンズ枠１を所定位置に保持するためにはコイル３に電流を流しておく必要があり電力の消費が大きくなる。
【０００８】
このような課題を解決することを目的として、本出願人は特願２００３−１８２０１８号の固体撮像装置を提案しているが、新たな課題が見つかった。例えば、近年のレンズユニットは高画素に対応するため複数枚のレンズを使用するものも提案されている。また、固体撮像装置にはレンズ位置を通常撮影位置とマクロ撮影位置とに移動させるものもある。このような撮像装置の場合、撮像素子に対して可動部の寸法が大きくなり、レンズ位置の移動によって重心位置も大きく変わるため、レンズユニットの支えとなるホルダへの負荷が非常に大きい。また、レンズ位置を移動させるために電磁駆動手段を設けた場合、電磁駆動手段には、電気コイル、ボビン、磁性体などの比較的重量のある部材が用いられるため、これらの部材を載置するホルダにかかる負荷がさらに大きくなる。このような固体撮像装置を携帯電話に適用した場合、落下衝撃に対して非常にもろく壊れやすい。
【０００９】
本発明は上記事情に鑑みてなされたものであり、基板上に安定して立設する固体撮像装置を提供することを目的とする。
【課題を解決するための手段】
【００１０】
かかる目的を達成するために請求項１記載の固体撮像装置は、レンズを移動可能に保持したレンズユニットと、撮像素子を搭載した基板とを有する固体撮像装置であって、前記レンズユニットは、前記撮像素子の周囲を取り囲むようにして配置された脚部と、前記脚部を補助し、前記レンズユニットを安定して前記基板上に立設させるための補助部材とによって前記基板上に立設していることを特徴としている。
【００１１】
請求項１記載の発明は、レンズユニットに、撮像素子の周囲を取り囲む脚部と、脚部を補助しレンズユニットを安定して基板上に立設させるための補助部材とを設けて基板上に立設させている。レンズユニットの重みによって脚部にかかる負荷を補助部材を設けることによって分散させ、レンズユニットを基板上に安定して立設させることができる。
【００１２】
請求項２記載の固体撮像装置は、請求項１記載の固体撮像装置において、前記補助部材の長さを、前記脚部の長さよりも短くし、脚部の長さが前記レンズユニットと前記基板との距離となるようにしたことを特徴としている。
【００１３】
請求項２記載の発明は、補助部材の長さを脚部よりも短くし、脚部の長さが前記レンズユニットと前記基板との距離となるようにしている。従って、レンズをレンズユニットに取り付ける際に、撮像素子の周囲に配置した脚部を基準としてレンズの取り付け位置を決定できるため、レンズの取り付けを精度よく行うことができる。
【００１４】
請求項３記載の固体撮像装置は、請求項１又は２記載の固体撮像装置において、前記補助部材と前記基板とを接着剤により接着したことを特徴としている。
【００１５】
請求項３記載の発明は、補助部材と基板とを接着剤により接着したことにより、補助部材の基板への接着力を高め、落下等の衝撃を受けても補助部材が基板から外れないようにすることができる。
【００１６】
請求項４記載の固体撮像装置は、請求項３記載の固体撮像装置において、前記補助部材の前記接着剤との当接面には凹凸が形成されていることを特徴としている。
【００１７】
請求項４記載の発明は、補助部材の接着剤との当接面に凹凸を設けたことにより、接着剤と接触する補助部材の面積を広くとることができ、補助部材の基板との接着力をより強くし、落下等の衝撃を受けても補助部材が基板から外れないようにすることができる。
【発明の効果】
【００１８】
本発明は、ホルダの支えとなる脚部とは別に、ホルダにかかる負荷を分散させるための補助部材を設けているため、レンズを保持したレンズユニットを基板上に安定して保持することができる。
【発明を実施するための最良の形態】
【００１９】
次に、添付図面を参照しながら本発明の最良の実施例を説明する。
【実施例１】
【００２０】
まず、図１及び図２を参照しながら本実施例の構成を説明する。なお、図１には、固体撮像装置の上面図が示され、図２には、図１に示すＡＡ線で切断した切断面の形状が示されている。
【００２１】
本実施例の固体撮像装置は、図２に示すようにＣＣＤ等からなる撮像素子１６１を搭載した基板１０６と、この基板１０６に搭載されて撮像素子１６１に被写体像を結像するレンズ１１３を保持するレンズユニット１０１とを有している。レンズユニット１０１は、撮像素子１６１を包囲するように基板１０６に固定されるホルダ１１１と、レンズ１１３を保持しレンズ１１３の光軸方向に移動自在となるようにホルダ１１１に係合するレンズホルダ１１２と、このレンズホルダ１１２を、第１の位置及びこの第１の位置から光軸方向へ所定距離だけ移動した第２の位置に駆動する電磁駆動手段とを備えている。
【００２２】
レンズホルダ１１２は、中空の略円筒形状であって、その中心軸上にレンズ１１３をレンズキャップ１１４によって装着している。またレンズホルダ１１２には円筒状の案内溝１１２ａが形成してあって、この案内溝１１２ａにホルダ１１１の上部を形成する円筒部１１１ｊが係合し、光軸方向へ移動自在になっている。また第１の位置は、通常撮像領域に位置する被写体像を撮像する通常撮像位置であって、第２の位置は、近距離撮像領域に位置する被写体像を撮像するマクロ撮像位置に設定してある。
【００２３】
さて、電磁駆動手段は、電磁石１０３と、この電磁石１０３への通電によって磁化される第１の磁性体１３３、１３４と、この第１の磁性体１３３、１３４に対して光軸方向に対向する第２の磁性体１０４と、第１の磁性体１３３、１３４と第２の磁性体１０４との間においてレンズホルダ１１２の外周に沿って設けられた永久磁石１０２とを備えている。以下説明を容易にするため、永久磁石１０２、電磁石１０３、第１の磁性体１３３、１３４及び第２の磁性体１０４の順に説明する。
【００２４】
永久磁石１０２は、永久磁石の内周に装着された磁性体からなるリング部材１２１を介してマグネットホルダ１１５に装着されている。なおマグネットホルダ１１５は、レンズホルダ１１２の外周に螺合している。また永久磁石１０２は、永久磁石１０２の円周方向に２分割した領域がＮ極とＳ極となるように磁化してある。すなわち図３に示すように、まず電磁石等の着磁装置１９２によって、リング部材を直径方向に磁化すると、円周方向を２分割した領域毎に、外周側と内周側とに異なる磁極が着磁される。次にこの着磁した永久磁石１０２の内側に、磁性体のリング部材１２１を装着すると、内周側に閉磁路（図示せず）が形成され、永久磁石１０２の内側の磁束の漏れを防止できる。
【００２５】
一方、電磁石１０３は、図１および図２に示すように、中空の略円筒のボビン１３１と、このボビン１３１に巻設した電気コイル１３２とを備えており、電気コイル１３２は、基板１０６に設けられた端子部１３２ａを介して切り換え手段（図示せず）に接続されている。そしてボビン１３１の内周には、矩形断面形状の細長い一対の第１の磁性体１３３、１３４の一端部が挿入されており、それぞれの他端部はレンズ１１３の光軸を中心とする半円弧状に延伸し、ホルダ１１１上に配置されている。
【００２６】
図４、５を参照しながら第１の磁性体１３３、１３４のホルダ１１１上への配置についてより詳細に説明する。なお、図４及び図５には、固体撮像装置を図１に示すＢＢ線で切断した切断面の形状が示され、特に、レンズホルダ１１２を前述した第１の位置と第２の位置に移動させた状態が示されている。図４及び図５に示すようにホルダ１１１の外周には水平フランジ部１１１ａが形成されており、この水平フランジ部１１１ａの上部には光軸を中心とする複数の位置決め部１１１ｅ、１１１ｆが形成されている。そして位置決め部１１１ｅ、１１１ｆの外周には、永久磁石１０２の円周上２分割されたＮ極及びＳ極領域にそれぞれ下方から対向する位置において、溝１１１ｇ、１１１ｈが形成してある。そして溝１１１ｇ、１１１ｈには、第１の磁性体１３３、１３４が挿入されており、位置決め部１１１ｅ、１１１ｆ及び溝１１１ｇ、１１１ｈによってホルダ１１１に位置決めされる。
【００２７】
次に第２の磁性体１０４について説明する。図１に示すように第２の磁性体１０４は、中心に開口穴を有する円板形状であって、この円板の外周には外側に突出する３つの突起部１０４ｂが円周方向に沿って等間隔に設けてある。一方ホルダ１１１の水平フランジ部１１１ａの外周部には円筒部１１１ｂが形成してあり、この円筒部１１１ｂには第１の磁性体１３３、１３４をホルダ１１１上に配置するための開口１１１ｉが形成されている。また円筒部１１１ｂの上端面１１１ｃには、円周方向に沿って等間隔の３個所において、円周方向に沿って光軸方向の高さが変化する斜面部１１１ｄがそれぞれ形成してある。そして第２の磁性体１０４は、その３つの突起部１０４ｂが斜面部１１１ｄにそれぞれ当接するようにしてホルダ１１１の円筒部１１１ｂに装着されている。したがって第２の磁性体１０４をホルダ１１１の円筒部１１１ｂに組み付ける際に、この第２の磁性体１０４を円周方向に回転させることによって、第２の磁性体１０４の光軸方向の高さが変化するので、第２の磁性体１０４の光軸方向位置、すなわちレンズホルダ１１２のマクロ撮像位置の初期設定を行うことができる。
【００２８】
次に、ホルダ１１１について説明する。レンズホルダ１１２を配置するホルダ１１１の表面側には、図２に示すようにレンズホルダ１１２の案内溝１１２ａと係合する円筒部１１１ｊが形成してある。レンズホルダ１１２の案内溝１１２ａにホルダ１１１の円筒部１１１ｊを嵌め込み、レンズホルダ１１２を光軸方向に摺動させる。また、ホルダ１１１の表面側には、図４、５に示すように第１の磁性体１３３、１３４、この第１の磁性体１３３、１３４をホルダ１１１に位置決めするための位置決め部１１１ｅ、１１１ｆ、ホルダ１１１の円周方向の端部に配置された円筒部１１１ｂなどが設けられている。
【００２９】
次に、ホルダ１１１の裏面側の形状について図６、７を参照しながら説明する。図６、７にはホルダ１１１の裏面側の形状と、固体撮像装置を側面から見た側面図が示されている。なお、図６には、固体撮像装置を図１に示すＣ方向から見た側面図を示し、図７には、固体撮像装置を図１に示すＤ方向から見た側面図を示す。ホルダ１１１には略円形の底面部材２００の中央領域に、レンズ１１３によって集光された光を撮像素子１６１に導くための開口部２０３が形成されている。開口部２０３の周囲には、この開口部２０３を取り囲むように脚部２０２が形成されている。この脚部２０２によって底面部材２００が基板１０６上に立設している。
【００３０】
また、略円形に形成された底面部材２００の円周方向の端部には、底面部材２００を基板１０６上に立設する脚部２０２を補助するリブ（補助部材）２０１が設けられている。リブ２０１は、図６、７に示されるように円周方向の端部に３箇所設けられている。
【００３１】
このように、本実施例では、脚部２０２の他にリブ２０１を底面部材２００の円周方向の端部に設けて、脚部２０２にかかる負荷を分散させ、ホルダ１１１を基板１０６上に安定して立設させる。高画素に対応するためレンズ１１３を複数枚設けたレンズホルダ１１２や、電磁駆動手段を備え、レンズホルダ１１２の位置を第１の位置及び第２の位置に移動可能なレンズユニット１０１は、撮像素子１６１に比べてレンズユニット１０１の寸法が大きく、レンズホルダ１１２を支えるホルダ１１１への負荷が大きい。しかし本実施例のように、脚部２０２と、ホルダ１１１にかかる負荷を分散させるリブ２０１とを設けることで、ホルダ１１１の基板１０６への取り付け時や、レンズホルダ１１２のホルダ１１１への取り付け時にホルダ１１１にかかる負荷をリブ２０１によって軽減させることができる。
【００３２】
なお、本実施例では、底面部材２００の円周方向の端部に３つのリブ２０１を設けた構成を示すが、リブ２０１の数やリブ２０１を配置する位置については適宜変更することができる。例えば本実施例では、電磁駆動手段としての電磁石１０３の近くにリブ２０１を２つ配置して底面部材２００を安定させているが、この電磁石１０３の付近に配置するリブ２０１の数をもっと増やすことも可能であるし、新たに他の部材をレンズユニット１０１に設ける場合には、この部材の近辺にリブ２０１を配置してもよい。
【００３３】
また、リブ２０１は、脚部２０２よりも長さが短くなるように形成されている。本実施例では、リブ２０１の長さを脚部２０２よりも６／１００ｍｍ程度短く形成している。レンズホルダ１１２に保持されたレンズ１１３の位置決めを行う際に、ホルダ１１１の高さを決める基準となる部材を脚部２０２とすることができる。撮像素子１６１の周囲に配置した脚部２０２を高さの基準として、ホルダ１１１上に配置するレンズ１１３の位置決めを精度よく行うことができる。
【００３４】
また、リブ２０１と基板１０６との接着は、接着剤２１０により行われる。基板１０６にリブ２０１を接着剤２１０で接着することで、落下等の衝撃を受けてもリブ２０１が基板１０６から外れないようにしている。また、図８（Ａ）に示すようにリブ２０１の接着面には切り込み（凹凸）２１１が形成されている。切り込み２１１を設けることによって、接着剤と接触するリブ２０１の面積を大きくとることができる。従って、リブ２０１を基板１０６に確実に接着させることができる。また、切り込みを設けるリブの面は、図８（Ａ）に示す底面だけでなく、図８（Ｂ）に示すようにリブ２０１の側面にも設けてもよい。接着剤２１０と接触するリブ２０１の面積をさらに増やしてリブ２０１と基板１０６との接着をより強固にすると共に、リブ２０１が接着剤２１０から抜けてしまう不具合を防止することができる。
【００３５】
また、基板１０６上にはレンズユニット１０１を駆動するための電子部品が搭載されている。リブ２０１をホルダ１１１の円周部分の端部に設けたことで、リブ２０１と脚部２０２との間（図２に示す水平フランジ部１１１ａの直下）にスペースを作ることが可能となり、このスペースにも電子部品を搭載することが可能となる。
【００３６】
次に上述した固体撮像装置の作用を説明する。電磁石１０３に電流を流し、それぞれの一端部がボビン１３１内に挿入された一対の第１の磁性体１３３、１３４がそれぞれＮ極とＳ極とに磁化すると、一対の第１の磁性体１３３、１３４と、この第１の磁性体１３３、１３４にそれぞれ対向する永久磁石１０２のＮ極とＳ極とが同じ磁極である場合には、図４に示すように、永久磁石１０２を上方に反発させて第２の磁性体１０４に当接させる。そしてこの状態で電磁石１０３に流れる電流を切ると、永久磁石１０２自体の磁力によって第２の磁性体１０４の当接面に吸着保持される。このようにしてレンズホルダ１１２がマクロ撮像位置に駆動保持される。
【００３７】
なお、本実施例においては、通常撮像位置におけるレンズホルダ１１２の保持力がマクロ撮像位置におけるレンズホルダ１１２の保持力よりも大きくなっている。すなわち、永久磁石１０２と一対の第１の磁性体１３３、１３４との間に作用する吸着力が、永久磁石１０２と第２の磁性体１０４との間に作用する吸着力よりも大きくなっている。これは、例えば永久磁石１０２と一対の第１の磁性体１３３、１３４との接触面積を永久磁石１０２と第２の磁性体１０４との接触面積よりも広くすることで実現できる。
【００３８】
これにより、マクロ撮像位置よりも使用頻度の高い通常撮像位置で被写体像を撮像する際に、レンズホルダ１１２が通常撮像位置から不用意に位置ずれして被写体像が正確に撮像できなくなることを防止できる。なお、マクロ撮像位置の使用頻度が通常撮像位置の使用頻度よりも高い場合には、マクロ撮像位置におけるレンズホルダ１１２の保持力を通常撮像位置におけるレンズホルダ１１２の保持力よりも大きくすればよい。
【００３９】
次に切り換え手段（図示せず）により電磁石１０３の電流の方向を切り換えると、一対の第１の磁性体１３３、１３４が、それぞれ対向する永久磁石１０２のＮ極とＳ極と異なる磁極となり、この永久磁石１０２を下方に吸引して、図５に示すように第２の磁性体１０４から引き離し、第１の磁性体１３３、１３４に吸着させる。そしてこの状態で電磁石１０３の電流を切ると、永久磁石１０２自体の磁力によって第２の磁性体１０４の当接面に吸着保持される。このようにしてレンズホルダ１１２が通常撮像位置に駆動保持される。
【００４０】
このように本実施例は、切り替えスイッチ等の切り替え手段（図示せず）によって、電磁石１０３に流す電流の方向を変更することにより、マクロ撮像位置と通常撮像位置とにレンズホルダ１１２を正確かつ確実に駆動することができる。また一旦レンズホルダ１１２をマクロ撮像位置と通常撮像位置とに駆動すれば、電流を切っても上述したように永久磁石１０２自体の磁力によってそれぞれの位置に保持されるので、大幅な省電力化が可能になる。
【００４１】
なお図２に示すように、第２の磁性体１０４の永久磁石１０２に対向する面には、所定の高さを有する半球形状の突起部１０４ａが形成してあり、この永久磁石は、この突起部の頂部を介して、この第２の磁性体１０４に当接する。したがって第２の磁性体１０４への吸着力が過大になることを防止でき、永久磁石１０２を反対方向に確実に引き離すことができる。なお同様な突起部を、第１の磁性体１３３、１３４の吸着面にも形成すると、永久磁石１０２を、この第１の磁性体１３３、１３４から確実に引き離すことができるようになる。
【００４２】
なお、本実施例において、永久磁石１０２の内周に磁性体からなるリング部材１２１が設けられているが、永久磁石の内周側に閉磁路を形成する手段はこれに限らず、適宜変更可能である。例えば、マグネットホルダ１１５を磁性体で形成し、永久磁石の内周に沿って配置しても良い。
【００４３】
また、本実施例において、永久磁石として円周方向及び半径方向をそれぞれ２分した領域に異なる磁極を有する永久磁石１０２を用いたが、永久磁石はこれに限るものではなく、例えば円周を４分した領域に異なる磁極を有する永久磁石を用いても良い。
【実施例２】
【００４４】
次に、本発明に係る第２実施例について図９、１０を参照しながら説明する。本実施例もＣＣＤ等からなる撮像素子１６１を搭載した基板１０６と、この基板１０６に搭載されて撮像素子１６１に被写体像を結像するレンズ１１３を保持するレンズユニット１０１とを有している。レンズユニット１０１は、撮像素子１６１を包囲するように基板１０６に固定されるホルダ１１１と、レンズ１１３を保持しレンズ１１３の光軸方向に移動自在となるようにホルダ１１１に係合するレンズホルダ１１２と、このレンズホルダ１１２を、第１の位置及びこの第１の位置から光軸方向へ所定距離だけ移動した第２の位置に駆動する位置調整部材とを備えている。
【００４５】
円筒状のレンズホルダ１１２の外周には調整部材２２０が設けられている。調整部材２２０に取り付けられたレンズホルダ１１２をレンズ１１３の光軸周りに回転させ、調整部材２２０とレンズホルダ１１２との取り付け位置を調整する。レンズホルダ１１２の位置調整後は、螺合部分に接着剤を塗布し、レンズホルダ１１２を調整部材２２０に固定する。なお、レンズホルダ１１２に固定された調整部材２２０は、レンズホルダ１１２の一部として機能する。
【００４６】
また、調整部材２２０とホルダ１１１との間には、リング状の回転部材２２１が挟み込まれ、これらの部材を円形状の付勢部材２２２によって上から付勢している。付勢部材２２２は、ホルダ１１１の円周方向の端部に設けた円筒部１１１ｂの爪に掛けられて付勢力を働かせている。リング状の回転部材２２１の下面には、レンズホルダ１１２を光軸方向に進退させる駆動力を与えるカム面（所定の駆動力をカムによって実現するためのカム輪郭が形成された面）が形成されている。回転部材２２１をレンズ１１３の光軸周りに回転させることによって、図１０に示されるようにホルダ１１１に設けた突起部２２３と調整部材２２０との間に挟み込まれる回転部材２２１の面の厚みが変わり、調整部材２２０と、調整部材２２０に固定されたレンズホルダ１１２とをレンズ１１３の光軸方向に移動させる。
【００４７】
図９に示すように本実施例は、レンズホルダ１１２を光軸方向に進退させる駆動力を与える回転部材２２１がホルダ１１１よりも大きく外側にはみ出している。このため、撮像素子１６１の周囲に配置した脚部２０２だけでレンズユニット１０１を支えるのは不安定な状態となる。このため本実施例においてもホルダ１１１の円周方向の端部に、脚部２０２を補助するリブ２０１を設ける。これにより、レンズユニット１０１を安定して基板１０６上に立設させることが可能となる。
【００４８】
また上述した実施例１と同様に、リブ２０１は、脚部２０２の長さよりも短く形成し、基板１０６と接着剤２１０によって接着されているとよい。また、リブ２０１の表面に切り込み２１１を形成して、接着剤２１の接着性を高めるように形成されているとよい。
【００４９】
なお、上述した実施例は本発明の好適な実施例である。但し、これに限定されるものではなく、本発明の要旨を逸脱しない範囲内において種々変形実施可能である。
【図面の簡単な説明】
【００５０】
【図１】固体撮像装置の上面図である。
【図２】図１に示すＡＡ線で切断した固体撮像装置の断面を示す図である。
【図３】永久磁石の着磁方法を説明するための図である。
【図４】図１に示すＢＢ線で切断した固体撮像装置の断面を示す図であり、永久磁石が上側にある状態を示す図である。
【図５】図１に示すＢＢ線で切断した固体撮像装置の断面を示す図であり、永久磁石が下側にある状態を示す図である。
【図６】ホルダ１１１の底面部材２００の裏面形状と、固体撮像装置を側面から見た状態を示す図である。
【図７】ホルダ１１１の底面部材２００の裏面形状と、固体撮像装置を側面から見た状態を示す図である。
【図８】リブ２０１と基板１０６との接続方法を説明するための図である。
【図９】実施例２の固体撮像装置の断面を示す図である。
【図１０】回転部材２２１のカム面の部分拡大図である。
【図１１】従来例によるレンズの駆動装置の断面図である。
【符号の説明】
【００５１】
１０１  レンズユニット          １０２  永久磁石
１０３  電磁石                  １０６  基板
１１１  ホルダ                  １１２  レンズホルダ
１２１  リング部材              １１３  レンズ
１１５  マグネットホルダ        １３２  電気コイル
１３３、１３４  第１の磁性体    １０４  第２の磁性体
１０４ａ  突起部                １０４ｂ  突起部
１６１  撮像素子                ２００  底面部材
２０１  リブ                    ２０２  脚部
２０３  開口                    ２１０  接着剤
２１１  切り込み                ２２０  調整部材
２２１  回転部材                ２２２  付勢部材
２２３  突起部
【図１】
2005167432.tif 000003
【図２】
2005167432.tif 000004
【図３】
2005167432.tif 000005
【図４】
2005167432.tif 000006
【図５】
2005167432.tif 000007
【図６】
2005167432.tif 000008
【図７】
2005167432.tif 000009
【図８】
2005167432.tif 000010
【図９】
2005167432.tif 000011
【図１０】
2005167432.tif 000012
【図１１】
2005167432.tif 000013